(57)【要約】【課題】  装着されるカードへ多大な負荷がかかることを回避することができるカードアダプタを提供すること。【解決手段】  カードを着脱可能であると共に、電子機器に設けられたＰＣカードスロットに対して着脱可能なカードアダプタ１であって、前方に前記ＰＣカードスロットに設けられたスロット側コネクタ部と係合する第１コネクタ部４２と、後方に前記カードに設けられたカード側コネクタ部と係合する第２コネクタ部４３とを有する基板１２と、基板１２を内蔵し、第１コネクタ部４２側から間隔をおいて延出して前記カードが装着されるカード装着部を構成する一対の装着腕部３１を有するカード状の筐体１１とを備え、カード装着部のカード着脱方向の長さが、カードの挿入部の長さよりも長いことを特徴とする。【選択図】    図１
2005190959.tif 000002
【特許請求の範囲】
【請求項１】
カードを着脱可能であると共に、電子機器に設けられたスロットに対して着脱可能なカードアダプタであって、
一端に前記スロットに設けられたスロット側コネクタ部と係合する第１コネクタ部と、他端に前記カードに設けられたカード側コネクタ部と係合する第２コネクタ部とを有する基板と、
該基板を内蔵し、前記第１コネクタ部側から間隔をおいて延出して前記カードが装着されるカード装着部を構成する一対の装着腕部を有するカード状の筐体とを備え、
前記カード装着部の前記カードの着脱方向の長さが、前記カードの挿入部の長さよりも長いことを特徴とするカードアダプタ。
【請求項２】
前記一対の装着腕部の互いに対向する側面に、前記挿入部の側面に形成されたカードガイド部と係合する装着ガイド部が形成され、
該装着ガイド部の前記カードの挿入側に、前記カードの挿入方向における位置決めを行う切り欠き部が形成されていることを特徴とする請求項１に記載のカードアダプタ。
【発明の詳細な説明】
【技術分野】
【０００１】
本発明は、例えばＣＦ（Compact Flash）カード（サンディスク社の登録商標）などをＰＣカードスロットなどに接続可能とするカードアダプタに関する。
【背景技術】
【０００２】
従来、例えばノート型パーソナルコンピュータ（以下、ノート型ＰＣと省略する。）などの電子機器に設けられた、ＰＣカードなどに代表されるカード状電子機器を装着させるＰＣカードスロットの接点に、例えばＣＦカードなどのようなＰＣカードよりも小型のカード状電子機器の接点を電気的に接続するためのＰＣカードアダプタが提案されている（例えば、特許文献１参照。）。
【特許文献１】特開２０００−１２２７６３号公報  （図１）  このＰＣカードアダプタは、ＰＣカードスロット内に設けられたスロット側コネクタ部に嵌合する第１コネクタ部及びＣＦカードに設けられたカード側コネクタ部に嵌合する第２コネクタ部を有する基板と、該基板の薄い側面に沿ってＣＦカードを装着させるための一対の装着腕部とを備え、この一対の装着腕部の間の基板から突出するコネクタピン部分をカバー体で覆うものである。
【０００３】
ＣＦカードが通常のメモリーカードの場合、図４（ａ）に示すように、ＰＣカードアダプタ１０１の一対の装着腕部及び第２コネクタ部とで形成されるカード装着部６１１にＣＦカード１００を挿入して、ＰＣカードアダプタ１０１にＣＦカード１００を装着させる。ＣＦカード１００が装着されたＰＣカードアダプタ１０１をノートパソコンなどの電子機器４に設けられたＰＣカードスロット５に挿入して、第２コネクタ部とカード側コネクタ部とを嵌合させることで、ＰＣカードスロット５においてＣＦカード１００の機能が利用可能となる。通常ＣＦカード１００のカード挿入部６２と、ＰＣカードアダプタ１０１のカード装着部６１１の挿入方向の長さは両方ともＣＦカード規格で決められるＬ１であり、電子機器４の端部１０３からＣＦカード１００がはみ出すことはなかった。
【０００４】
しかしながら、上記従来のカードアダプタ１０１においては、以下の問題があった。すなわち、図４（ｂ）のようにＣＦカードが本来のＣＦカード挿入部６２の部分に加えて例えばアンテナなどの素子を搭載した、長さがＬ２である機能拡張部分１０２を有している拡張ＣＦカード１０４であった場合、従来のＰＣカードアダプタ１０１のＣＦカード装着部６２の長さは挿入方向の長さであるＬ１しかないため、拡張ＣＦカード１０４をカードアダプタ１０１に装着して電子機器４のＰＣカードスロット５に挿入した際にＣＦカードの挿入部６２に付加された拡張部１０２が電子機器４の端部１０３からＬ２の長さだけ大きくはみ出して装着されることとなる。このはみだした部分に例えば上下方向に力が加わると、露出箇所に対して大きな負荷がかかり、破損する虞もあった。
【０００５】
本発明は、上記課題に鑑みてなされたもので、装着されるカードへ多大な負荷がかかることを回避することができるカードアダプタを提供することを目的とする。
【発明の開示】
【課題を解決するための手段】
【０００６】
本発明は、前記課題を解決するために以下の構成を採用した。すなわち、本発明にかかるカードアダプタは、カードを着脱可能であると共に、電子機器に設けられたスロットに対して着脱可能なカードアダプタであって、一方の端面側に前記スロットに設けられたスロット側コネクタ部と係合する第１コネクタ部と、他端面側に前記カードに設けられたカード側コネクタ部と係合する第２コネクタ部とを有する基板と、該基板を内蔵し、前記第１コネクタ部側から間隔をおいて延出して前記カードが装着されるカード装着部を構成する一対の装着腕部を有するカード状の筐体とを備え、前記カード装着部の前記カードの着脱方向の長さが、前記カードの挿入部の長さとほぼ同一であることを特徴とする。
【０００７】
この発明によれば、カードの挿入部を一対の装着腕部に沿って挿入させ、カード側コネクタ部と第２コネクタ部とを係合させたときに、カードの挿入部が装着されるカード装着部のカード着脱方向に対する長さが、カードの挿入部の長さよりも長いので、カードをカードアダプタに対してより深く挿入させて装着させることができる。したがって、カードが装着されたカードアダプタを電子機器に設けられたスロットに装着させた際に、スロットに対するカードの露出量を小さくすることができ、カードに対して多大な負荷がかかることを回避することが可能となる。
【０００８】
また、本発明にかかるカードアダプタは、前記一対の装着腕部の互いに対向する側面に、前記挿入部の挿入方向に対する側面に形成されたカードガイド部と係合する装着ガイド部が形成され、該装着ガイド部の前記カードの挿入側に、前記カードの挿入方向における位置決めを行う切り欠き部が形成されていることが好ましい。
【０００９】
この発明によれば、装着ガイドにカードの挿入方向における位置決めを行う切り欠き部が形成されていることで、一対の装着腕部の間隔がカードの挿入される側で広く形成される。これにより、カードを一対の装着腕部に沿って挿入させた際に装着ガイド部が欠けたり破損することを抑制するので、装着腕部の寸法精度を高く維持できる。
また、カードを挿入させる際に横方向のガイドとなるので、挿入を容易に行うことができる。
【発明の効果】
【００１０】
本発明のカードアダプタによれば、カードの挿入部をカード装着部に挿入させた際に、カード装着部のカード挿入方向に対する長さがカードの挿入部の長さとほぼ同一となっているため、カードアダプタからのカードの挿入部の露出量を低減することができる。したがって、カードに対して多大な負荷がかかることを回避することが可能となる。
【発明を実施するための最良の形態】
【００１１】
以下、本発明によるカードアダプタの一実施形態を図１及び図２を参照しながら説明する。なお、図１において＋Ｘ方向を前方、−Ｘ方向を後方、＋Ｙ方向を左方、−Ｙ方向を右方とする。
【００１２】
本実施形態によるカードアダプタ１は、図１及び図２に示すように、いわゆるＣＦカードであるカード２に設けられたカード側コネクタ部３を、いわゆるノート型ＰＣである電子機器４に設けられたカード２と規格の異なるＰＣカードスロット５に挿入し、スロット側コネクタ部６と接続して用いられるようなカードアダプタである。
【００１３】
このカードアダプタ１は、図２に示すＰＣカードスロット５に挿入されるカード型の筐体１１と、筐体１１の内部に収納された基板１２とを有している。
筐体１１は、基板１２を左右両側から挟持する一対の側面フレーム２１と、一対の側面フレーム２１の上下両面から挟持する下カバー２２及び上カバー２３と、後述する第１コネクタ部を上下両面から保護する一対のシャッター部材２４とを備えている。シャッター部材２４は前後方向にスライド可能に取り付けられ、カード２が挿入されていない時には図示していないバネ部材などにより後方向にスライドして第２コネクタ部４３のカード接続雄端子５６を上下から覆い保護する。
【００１４】
一対の側面フレーム２１は、基板１２とほぼ同一の厚さを有した直方体形状のフレームであり、一対の側面フレーム２１が基板１２を挟持した際に、基板１２から後方に向けて突出する装着腕部３１が形成される。装着腕部３１は図２に示すようにカード２を左右から挟持し、カード２のカードアダプタ１への挿入時のガイドになると共に挿入後はカード２を保持する。
【００１５】
装着突条３１Ａの後端から側面フレーム２１の後端に渡って、切り欠き部３３が形成され、基板１２を挟持した際に対向する一対の側面フレーム２１間の距離が一段大きくなり、カード２が挿入されるカード装着部６１のカード挿入口が広くなる。
腕装着部３１には互いに対向する面である内側面２１Ａのほぼ中央から切り欠き部３３まで前後方向に延びる装着突条（装着ガイド部）３１Ａが設けられる。この装着突条３１Ａは、カード２の左右両側面に設けられたカード側装着溝（カードガイド部）３２と係合するように形成されており、カード側装着溝３２とほぼ同じ長さとなっている。装着突条３１Ａとカード側装着溝３２を係合させてカード２をカードアダプタ１へ挿入することにより、カードアダプタ１の第２基板接続雄端子５６とカード２のカード側コネクタ部３の雌端子（図示略）への精度の良い挿入を可能としている。
【００１６】
また、外側面２１Ｂの前方側には、ＰＣカードスロット５側に設けられたスロット側装着突条（図示略）と係合する装着溝３４が設けられ、ＰＣカードアダプタ１のＰＣカードスロット５への精度良い挿入を可能としている。
【００１７】
下カバー２２には、後述する第２コネクタ部４３及び一対の側面フレーム２１に当接する当接縁部２２Ａが形成され、当接縁部２２Ａの内側部分が下方に向かって突出した突出面部２２Ｂが形成されている。
【００１８】
上カバー２３は、上述した下カバー２２と同様に、当接縁部２３Ａ及び突出面部２３Ｂが形成されていると共に、左右両側面には外側面２１Ｂと当接する側面カバー２３Ｃが形成されている。
【００１９】
基板１２は、その表裏面にプリント配線が形成された基板本体４１と、基板本体４１の前端側に形成されて基板本体４１と電子機器４のスロット側コネクタ部６を電気的に接続する第１コネクタ部４２と、基板本体４１の後端側に形成されて基板本体４１とカード２のカード側コネクタ部３を電気的に接続する第２コネクタ部４３とを備えている。
【００２０】
第１コネクタ部４２は、一対の側面フレーム２１に挟持される第１コネクタ部本体５１と、第１コネクタ部本体５１の後端面５１Ａ側から後方に向けて突出して設けられて基板本体４１のプリント配線と電気的に接続する円柱状の端子である複数の第１基板接続雄端子５２と、第１コネクタ部本体５１の前端面５１Ｂ側に設けられてＰＣカードスロット５に設けられたスロット側コネクタ部６と嵌合すると共に第１基板接続雄端子５２に接続する複数のスロット接続雌端子（図示略）とを備えている。
【００２１】
第２コネクタ部４３は、上述した第１コネクタ部４２と同様に、第２コネクタ部本体５５と、第２コネクタ部本体５５の後端面５５Ａ側から後方に向けて突出して設けられてカード２の前面側に設けられたカード側コネクタ部３と嵌合する円柱状の端子である複数のカード接続雄端子５６と、第２コネクタ部本体５５の前端面５５Ｂ側から前方に向けて突出して設けられて基板本体４１のプリント配線とカード接続雄端子５６を電気的に接続する円柱状の端子である複数の第２基板接続雄端子５７とを備えている。
【００２２】
第２コネクタ部４３、左右一対の装着腕部３１および切り欠き部３３によってカード２を装着するカード装着部６１が形成される。図２に示すようにカード装着部６１のカード２の挿入方向に対する装着腕部３１の後端から第２コネクタ部４３までの長さＬ２は、カード２の挿入部６２の挿入方向に対する長さＬ１よりも長くなっている。
【００２３】
カード２は、いわゆる内蔵アンテナを備えた拡張機能付のＣＦカードである。このカード２は、カード筐体７１と、カード筐体７１の内部に設けられて回路を有するカード基板（図示略）と、カード基板と電気的に接続されたカード基板接続雌端子（図示略）を備えカード２の前方側面に設けられたカード側コネクタ部３とを備えている。
【００２４】
カード筐体７１は、通常のＣＦカードにおいてＰＣカードアダプタに挿入される部分であって挿入方向のカード側コネクタ部３からの長さＬ１の部分の挿入部６２と、後端側に上方に突出して設けられた突条部７２を有する長さＬ２の機能拡張部６３とで構成されている。挿入部６２の長さＬ１は通常のＣＦカードの規格の挿入方向の長さである。また、挿入部６２の左右両側面には長手方向に設けられたカード側装着溝３２が形成され、カードアダプタ１へ挿入の際にカード装着部６１の装着突条３１Ａに係合する。
【００２５】
次に、本実施形態にかかるカードアダプタ１の用い方について図２を用いて説明する。まず、カードアダプタ１にカード２を装着させる。まず、カード２の左右側面のカード側装着溝３２がカードアダプタ１の左右一対の側面フレーム２１の装着突条３１Ａと係合するようにしてカード２を挿入させる。このとき、装着突条３１Ａの後端から側面フレーム２１の後端に渡って切り欠き部３３が形成されていることで、カード２をカード装着部６１に装着させる際に、最初の横方向での位置を決めるガイドとなる。したがって、容易にカード２のカード側装着溝３２を装着腕部３１の装着突条３１Ａに係合させることができる。
【００２６】
さらに、カード２をカードアダプタ１のカード装着部６１へ挿入すると、上下一対のシャッター部材２４はカード２の前端部に押されて前方にスライドする。更にカード２を挿入することにより第２コネクタ部４３のカード接続雄端子５６が露出し、カード側コネクタ部３のカード基板接続雌端子とカード接続雄端子５６とを嵌合させる。
このとき、カード装着部６１のカード２の挿入方向に対する長さＬ２は、カード２の挿入部６２の挿入方向に対する長さＬ１よりも長いため、カード２はより前方にカードアダプタ１に挿入される。
【００２７】
次に、カード２が装着されたカードアダプタ１をＰＣカードスロット５に装着させる。カードアダプタ１の装着溝３４が上述したＰＣカードスロット５のスロット側装着突条と係合するように挿入させてＰＣカードアダプタ１の雌端子とスロット側コネクタ部６とを嵌合させる。図３（ａ）にカードアダプタ１がＰＣカードスロット５に装着された状態を示す。このようにすることで、ＰＣカードスロット５でＰＣカードと規格の異なるＣＦカードであるカード２の機能を電子機器４で使用することができる。
【００２８】
図３（ａ）でも明らかなように上記の構成によれば、カード２が装着されるカード装着部６１のカード２の挿入方向に対する長さＬ３は、カード２の挿入部６２の長さＬ１よりも長いため、カード２をカードアダプタ１に対して従来のカードアダプタより深く挿入させて装着させることができる。したがって、カード２が装着されたカードアダプタ１を電子機器４に設けられたＰＣカードスロット５に装着させた際に、電子機器４の端部から露出するカード２の長さＬ４は図４（ｂ）に示される長さＬ２よりも小さくなる。これによりカードアダプタ１を介してカード２を電子機器４に装着した時の、カード２の露出部分に対しての多大な負荷の回避が可能となる。
【００２９】
また、装着突条３１Ａの後端から側面フレーム２１の後端に渡って切り欠き部３３が形成され、一対の装着腕部３１の間隔が、後端側で広く形成されていることで、カード２をカード装着部６１に装着させる際に、横方向での位置を決めるガイドとなる。これにより、カード２のカード側装着溝３２を装着腕部３１の装着突条３１Ａに係合させることが容易となり、カード２や装着腕部３１の破損などを抑制することができる。したがって、装着腕部３１の寸法精度を高く維持できる。
【００３０】
また、カード２をより深くカード装着部６１に挿入させることが可能となるため、カード２の側面はカードアダプタ１の一対の装着腕部３１によって防護され、より衝撃などに対する強度が向上する。
【００３１】
なお、本発明の構成は上述した実施形態に限定されるものではなく、本発明の要旨を逸脱しない範囲内において適宜変更することができる。
例えば、図３（ｂ）に示すようにカード装着部６１の長さをＬ３２として装着腕部３１を大きく伸ばし電子機器４の端部１０３より張り出させてカード装着部６１２を構成したカードアダプタ１０５を使用することによりカード２をより強固に防護することも可能である。
【００３２】
また、実施形態ではカードの機能拡張部を上方に突出して設けられた突条部を有するものとしたが、例えば外付けアンテナを備えた構成や平面内部アンテナを備えた構成、その他外部機器との接続を行うコネクタなどを有する機能拡張部であってもよい。
【００３３】
また、上記実施形態では、ＣＦカードをＰＣカードスロットに挿入可能とするカードアダプタであったが、ＣＦカードに限らず他の形式のカード、例えばＳＤカード（ＳＤアソシエーションの登録商標）などにおいて、同様に機能拡張部を有し通常のカードよりも挿入方向の長さが大きい拡張ＳＤカード用のカードアダプタにおけるカード装着部の構成にも適用可能である。
【図面の簡単な説明】
【００３４】
【図１】本発明の一実施形態にかかるカードアダプタを示す分解斜視図である。
【図２】本発明の一実施形態にかかるカードアダプタ、カード及び電子機器を示す斜視図である。
【図３】本発明の一実施形態にかかるカードアダプタ、カード及び電子機器を示す断面図である。
【図４】従来のカードアダプタ、カード及び電子機器を示す断面図である。
【符号の説明】
【００３５】
１  カードアダプタ
２  カード
３  カード側コネクタ部
４  電子機器
５  ＰＣカードスロット
６  スロット側コネクタ部
１１  筐体
１２  基板
３１  装着腕部
３１Ａ  装着突条（装着ガイド部）
３２  カード側装着溝（カードガイド部）
３３  切り欠き部
４２  第１コネクタ部
４３  第２コネクタ部
６１  カード装着部
６２  挿入部
【図１】
2005190959.tif 000003
【図２】
2005190959.tif 000004
【図３】
2005190959.tif 000005
【図４】
2005190959.tif 000006